(57)【要約】【課題】  入力コードの自重のために左右の重量バランスが崩れることがない片出しコードタイプのヘッドホンを提供すること。【解決手段】  ヘッドバンド１６の両端に連結された左右一対のヘッドホン本体１３，１４の内、片側のヘッドホン本体１３，１４から入力コード１８が引き出された片出しコードタイプのヘッドホン１１において、入力コード１８が接続されている一方のヘッドホン本体１３の重量に入力コード１８の自重による負荷を加算した重量と、入力コード１８が接続されていない他方のヘッドホン本体１４の重量とが略同一になるように、入力コード１８が接続されていない他方のヘッドホン本体１４の重量を調整した構成。【選択図】        図２
2005295461.tif 000002
【特許請求の範囲】
【請求項１】
ハウジングに電気音響変換部を収容した左右一対のヘッドホン本体のそれぞれが、ヘッドバンドの端部に連結されると共に、入力コードが左右のいずれか一方のヘッドホン本体から引き出される片出しコードタイプのヘッドホンであって、
前記入力コードが接続されている一方のヘッドホン本体の重量に前記入力コードの自重による負荷を加算した重量と、前記入力コードが接続されていない他方のヘッドホン本体の重量と、が略同一になるように、前記入力コードが接続されていない他方のヘッドホン本体の重量を調整したことを特徴とするヘッドホン。
【請求項２】
前記入力コードが接続されていない他方のヘッドホン本体の重量調整を、前記ハウジングの壁部の肉厚の増大によって実現したことを特徴とする請求項１に記載のヘッドホン。
【請求項３】
前記入力コードが接続されていない他方のヘッドホン本体の重量調整を、前記ハウジングへ別体のウエイトを装着することで実現したことを特徴とする請求項１に記載のヘッドホン。
【請求項４】
前記ウエイトを、前記ハウジングよりも比重の大きな材質で形成したことを特徴とする請求項３に記載のヘッドホン。
【請求項５】
前記ウエイトの前記ハウジングへの装着が着脱自在であることを特徴とする請求項３又は４に記載のヘッドホン。
【請求項６】
前記ウエイトが前記ハウジングの振動部分に装着されていることを特徴とする請求項３〜請求項５のいずれか一項に記載のヘッドホン。
【発明の詳細な説明】
【技術分野】
【０００１】
本発明は、ヘッドホンに関し、特に、ハウジングに電気音響変換部を収容した左右一対のヘッドホン本体のそれぞれが、ヘッドバンドの端部に連結されると共に、音響機器のヘッドホン接続端子に接続する入力コードが左右のいずれか一方のヘッドホン本体から引き出される片出しコードタイプのヘッドホンに関する。
【背景技術】
【０００２】
図１は、所謂、片出しコードタイプの従来のヘッドホンをユーザが装着した状態を示している。
このヘッドホン１は、ハウジング３ａ，４ａに電気音響変換部（スピーカユニット）を収容した左右一対のヘッドホン本体３，４のそれぞれが、頭の上を跨ぐヘッドバンド６の端部に揺動可能に連結されると共に、音響機器のヘッドホン接続端子に接続する入力コード８が左側のヘッドホン本体３から引き出されている（例えば、特許文献１参照）。
右側のヘッドホン本体４内の電気音響変換部への入力コードはヘッドバンド６内を通って、左側のヘッドホン本体３内の電気音響変換部への入力コードに一括されているのである。なお、ハウジング３ａ，４ａの耳に接触する側の外周部には、肌へ接触した時のフィット感を高めるために、クッション性を有したパッド９が装着されている。
【０００３】
このように入力コード８の引き出しを片側のヘッドホン本体３にまとめることで、装着した時に顔の前や首の後ろ等で入力コード８が交差することがなくなり、すっきりとした装着が可能になる。
【０００４】
【特許文献１】特開平８−２５６３９１号公報
【発明の開示】
【発明が解決しようとする課題】
【０００５】
ところが、これまでのヘッドホンは、通常、左右のヘッドホン本体３，４は重量が略同一になっている。
そのため、片出しコードタイプにした場合に、入力コード８が引き出される左側のヘッドホン本体３は、入力コード８の自重による負荷Ｆがかかる分だけ、右側のヘッドホン本体４よりも重くなってしまい、左右の重量バランスの崩れによって、使用中に、図１に破線で示すように、左側のヘッドホン本体３がずり落ちたり、或いは、耳部へのフィット感が左右で異なるために違和感や疲労を招く虞があった。
【０００６】
本発明が解決しようとする課題としては、上述した従来技術において生じる、入力コードの自重のために左右の重量バランスが崩れて、片側のヘッドホン本体がずり落ちたり、或いは違和感が発生してしまうという問題が一例として挙げられる。
【課題を解決するための手段】
【０００７】
請求項１に記載のヘッドホンは、ハウジングに電気音響変換部を収容した左右一対のヘッドホン本体のそれぞれが、ヘッドバンドの端部に連結されると共に、入力コードが左右のいずれか一方のヘッドホン本体から引き出される片出しコードタイプのヘッドホンであって、前記入力コードが接続されている一方のヘッドホン本体の重量に前記入力コードの自重による負荷を加算した重量と、前記入力コードが接続されていない他方のヘッドホン本体の重量と、が略同一になるように、前記入力コードが接続されていない他方のヘッドホン本体の重量を調整したことを特徴とするヘッドホン。
【発明を実施するための最良の形態】
【０００８】
以下、本発明に係るヘッドホンの好適な実施の形態について、図面を参照して詳細に説明する。
図２は、本発明に係るヘッドホンの一実施の形態を示したものである。
【０００９】
この一実施の形態のヘッドホン１１は、所謂、片出しコードタイプのもので、ハウジング１３ａ，１４ａに電気音響変換部（スピーカユニット）を収容した左右一対のヘッドホン本体１３，１４のそれぞれが、頭の上を跨ぐヘッドバンド１６の端部に揺動可能に連結されると共に、音響機器（例えば、ＣＤプレーヤーやＤＶＤプレーヤーなど）のヘッドホン接続端子に接続する入力コード１８が左側のヘッドホン本体１３から引き出されている。
右側のヘッドホン本体１４内の電気音響変換部への入力コードはヘッドバンド１６内を通って、左側のヘッドホン本体１３内の電気音響変換部への入力コード１８に一括されているのである。
なお、ハウジング１３ａ，１４ａの耳に接触する側の外周部には、肌へ接触した時のフィット感を高めるために、クッション性を有したパッド１９が装着されている。
【００１０】
本実施の形態の左右のヘッドホン本体１３，１４のハウジング１３ａ，１４ａは、ＡＢＳ樹脂の射出成形品であり、低音域を改善するための筒状のバス・ダクト２３が、ハウジング１３ａ，１４ａの外表面に開口するように一体形成されている。
【００１１】
そして、本実施の形態のヘッドホン１１の場合、前記入力コード１８が接続されている一方のヘッドホン本体１３の重量に入力コード１８の自重による負荷Ｆを加算した重量と、入力コード１８が接続されていない他方のヘッドホン本体１４の重量とが略同一になるように、他方のヘッドホン本体１４の重量を調整している。
【００１２】
本実施の形態の場合、他方のヘッドホン本体１４の重量調整は、ハウジング１４ａへ別体のウエイト２１を装着することで実現している。
ウエイト２１は、図３及び図４に示すように、他方のヘッドホン本体１４のバス・ダクト２３の外周に螺着するナット状のもので、ハウジング１４ａを構成する樹脂よりも比重が大きい金属等で形成されている。
ウエイト２１は、その重量と、取り付け位置に応じて発生するモーメントによって、他方のヘッドホン本体１４に負荷Ｓをかける。この負荷Ｓが、入力コード１８がヘッドホン本体１３にかける負荷Ｓと同等となるように、ウエイト２１の重量及び取り付け位置が設定されている。
【００１３】
なお、図３のヘッドホン本体１４は、パッド１９やスピーカユニット２５が取り付けられた内側ハウジング１４ｂをハウジング１４ａから取り外して、ハウジング１４ａの裏側を露出させた状態を示している。
【００１４】
本実施の形態の場合、ウエイト２１はバス・ダクト２３の外周に螺着させるため、ねじを緩めたり締め付けたりすることで、ウエイト２１のハウジング１４ａへの装着は着脱自在である。
【００１５】
また、バス・ダクト２３は、スピーカユニット２５の背圧によって振動する振動部分で、ウエイト２１がハウジング１４ａの振動部分に装着された状態になっている。
【００１６】
以上に説明したヘッドホン１１では、入力コード１８が一方のヘッドホン本体１３から引き出される片出しコードタイプであるため、入力コード１８が進退の前面又は背面で交差することがなく、すっきりとした装着が可能である。
しかも、入力コード１８の自重による負荷Ｆの分だけ、入力コード１８が接続されていない他方のヘッドホン本体１４の重量をウエイト２１の負荷Ｓによって調整することで、左右の重量バランスをとっているため、入力コード１８の自重のために左右の重量バランスが崩れることがない。
従って、重量バランスの崩れに起因した片側のヘッドホン本体１３，１４のずり落ち等を解消できて、また、耳部へのフィット感が左右で相異して違和感や疲労を招くことも抑止でき、快適な使用を長時間継続することができる。
【００１７】
また、本実施の形態の場合、重量調整に別体のウエイト２１を使用するため、例えば、ハウジング１３ａ，１４ａのデザイン変更等があった場合にも、ウエイト２１は共通部品として継続使用して、新たな部品設計による負担を軽減することができる。
また、別体のウエイト２１を使用する場合には、該ウエイト２１の重量を、例えば入力コード１８の重量に合わせることで、比較的に簡単に重量バランスを取ることができる。
【００１８】
また、本実施の形態のヘッドホン１１では、ウエイト２１はハウジング１４ａよりも比重の大きな材質で形成しているため、小型化でき、ハウジング１４ａ内における設置スペースに余裕がない場合でも、ウエイト２１の設置が容易になる。
【００１９】
また、入力コード１８の自重によってヘッドホン本体１３に作用する負荷は、ヘッドホン１１を装着したユーザの姿勢（例えば、立って使用しているとき、或いは、座って使用しているときなど）によって、入力コード１８の垂れる長さが変わると、変動する。そこで、本実施の形態のようにウエイト２１が着脱自在の場合には、予め、重量の異なる複数のウエイト２１を用意しておいて、ヘッドホン１１の装着姿勢等に応じて使用するウエイト２１を交換すれば、装着姿勢等に拘わらず、重量バランスの崩れを防止できて、快適な使用を長時間継続することができる。
【００２０】
また、本実施の形態の場合、ウエイト２１をヘッドホン本体１４の振動部分に装備していて、ウエイト２１が振動部分のカウンターウエイト２１となって、制振的な作用を発生するため、不要振動による再生音の汚れを低減させて、音質の向上を図ることも可能になる。
【００２１】
なお、入力コード１８が接続されていない他方のヘッドホン本体１４の重量調整する方法は、上記実施の形態のように別体のウエイト２１を使用する方法に限らない。
例えば、ハウジング１４ａの壁部の肉厚の増大によって実現するようにしても良い。このような対応によると、重量調整の実現のために特に部品点数の増加等が発生せず、従来と同等の組立性、生産性を維持しつつ、重量バランスの崩れを防止することができる。
【００２２】
また、本発明のヘッドホンにおいて、重量調整のためにヘッドホン本体１４のハウジング１４ａに装着する別体のウエイト２１の具体的な形状、及びハウジング１４ａ上の取り付け位置等は、上記実施の形態に限らない。
また、ウエイト２１は、単一でなく、複数個のウエイトを分散させて装備することで、さらに重量バランスを改善することも考えられる。
【００２３】
以上詳述したように、本発明に係る実施の形態のヘッドホン１１は、ハウジング１３ａ，１４ａに電気音響変換部を収容した左右一対のヘッドホン本体１３，１４のそれぞれが、頭の上を跨ぐヘッドバンド１６の端部に連結されると共に、音響機器のヘッドホン接続端子に接続する入力コード１８が左右のいずれか一方のヘッドホン本体から引き出される片出しコードタイプのヘッドホンであり、  入力コード１８が接続されている一方（図２では右側）のヘッドホン本体１３の重量に入力コード１８の自重による負荷を加算した重量と、入力コード１８が接続されていない他方（図２では左側）のヘッドホン本体１４の重量と、が略同一になるように、入力コード１８が接続されていない他方のヘッドホン本体１４の重量を調整したものである。
このように、ヘッドホン１１では、入力コード１８が一方のヘッドホン本体１３から引き出される片出しコードタイプであるため、入力コード１８が進退の前面又は背面で交差することがなく、すっきりとした装着が可能である。
しかも、入力コード１８の自重による負荷の分だけ、入力コード１８が接続されていない他方のヘッドホン本体１４の重量を調整することで、左右の重量バランスをとっているため、入力コード１８の自重のために左右の重量バランスが崩れることがない。
従って、重量バランスの崩れに起因した片側のヘッドホン本体のずり落ち等を解消できて、また、耳部へのフィット感が左右で相異して違和感や疲労を招くことも抑止でき、快適な使用を長時間継続することができる。
【図面の簡単な説明】
【００２４】
【図１】従来のヘッドホンの説明図である。
【図２】本発明に係るヘッドホンの一実施の形態の説明図である。
【図３】図２に示したヘッドホンの要部の分解斜視図である。
【図４】図３に示したウエイトの取り付け構造を示す断面図である。
【符号の説明】
【００２５】
１１  ヘッドホン
１３，１４  ヘッドホン本体
１３ａ，１４ａ  ハウジング
１６  ヘッドバンド
１８  入力コード
１９  パッド
２１  ウエイト
２３  バス・ダクト
【図１】
2005295461.tif 000003
【図２】
2005295461.tif 000004
【図３】
2005295461.tif 000005
【図４】
2005295461.tif 000006